(57)【要約】【課題】  商品性，デザイン性に優れた計器装置を提供する。【解決手段】  計器装置は、指針２５と、指針２５に指示される目盛部２３とを備える。目盛部２３は、光源２４から発せられる光を受光する受光部３１及び受光部３１からの光を反射させる反射部３３を有する導光部材３５と、導光部材３５上に配設され導光部材３５の表面から発せられる光を受けて光輝する意匠部材３６と、を有する。意匠部材３６は、根元側から先端側にかけて色味または輝度が徐々に変化して光輝する。【選択図】図３
2010256072.tif 000002
【特許請求の範囲】
【請求項１】
指針と、前記指針に指示される目盛部と、を備えた計器装置であって、
前記目盛部は、光源から発せられる光を受光する受光部及び前記受光部からの光を反射させる反射部を有する導光部材と、前記導光部材上に配設され前記導光部材の表面から発せられる光を受けて光輝する意匠部材と、を有することを特徴とする計器装置。
【請求項２】
前記意匠部材は、根元側から先端側にかけて色味が徐々に変化して光輝することを特徴とする請求項１に記載の計器装置。
【請求項３】
前記意匠部材は、根元側から先端側にかけて輝度が徐々に変化して光輝することを特徴とする請求項１に記載の計器装置。
【請求項４】
前記意匠部材は、前記光源から発せられる発光色と異なる色味を有することを特徴とする請求項１に記載の計器装置。
【請求項５】
前記導光部材は、微細な凹凸からなる前記反射部を有することを特徴とする請求項１に記載の計器装置。
【請求項６】
前記導光部材は、溝形状からなる前記反射部を有することを特徴とする請求項１に記載の計器装置。
【請求項７】
前記導光部材と前記意匠部材との間に色変換層を配設したことを特徴とする請求項１に記載の計器装置。
【請求項８】
前記導光部材と前記意匠部材との間に光拡散部材を配設したことを特徴とする請求項１に記載の計器装置。
【請求項９】
前記導光部材と前記意匠部材との間に指向特性を高める光学シートを配設したことを特徴とする請求項１に記載の計器装置。
【発明の詳細な説明】
【技術分野】
【０００１】
本発明は、指針に指示される目盛部を備えた計器装置に関するものである。
【背景技術】
【０００２】
従来より、指針にて文字盤を指示する計器装置が種々提案され、例えば特許文献１に開示されている。斯かる計器装置は、ハウジング１に指針式計器２を収容したものであり、ハウジング１には、開口４ａが形成された見返し部材４と、湾曲形状の透光性カバー５とが係止されている（図４参照）。指針式計器２は、文字盤６，光源７，導光体８，指針９，ステッピングモータ１０及び回路基板１１を有している。指針９は、文字盤６に形成された指標部を指示する指示部１２を備えている。指針９の指示部１２は、導光体８を介して照射される光源７の光によって光輝する。
【０００３】
文字盤６は、透明基板の表面に目盛，文字，数字等を白色透光性印刷材料で印刷形成し、前記透明基板のうち目盛，文字，数字等以外の部分を黒色の不透光性印刷材料で印刷形成したものである。文字盤６の裏面側には光源７が配設されており、昼間においては文字盤６が外光を反射することで、目盛，文字，数字等を視認し、夜間においては光源７の光を透過させることで、目盛，文字，数字等を視認する。
【先行技術文献】
【特許文献】
【０００４】
【特許文献１】実公平６−８４９５号公報
【発明の概要】
【発明が解決しようとする課題】
【０００５】
しかしながら、指針式計器２の文字盤６は平面的であり、立体感が乏しいという問題を有している。そこで、デザイン性が高く、且つ、視認性が良好な目盛部を備えた計器装置が望まれていた。本発明は、商品性，デザイン性に優れた計器装置を提供するものである。
【課題を解決するための手段】
【０００６】
本発明は、前記課題を解決するため、指針２５と、前記指針２５に指示される目盛部２３と、を備えた計器装置であって、前記目盛部２３は、光源２４から発せられる光を受光する受光部３１及び前記受光部３１からの光を反射させる反射部３３を有する導光部材３５と、前記導光部材３５上に配設され前記導光部材３５の表面から発せられる光を受けて光輝する意匠部材３６と、を有するものである。
【０００７】
また、本発明は、前記意匠部材３６は、根元側から先端側にかけて色味が徐々に変化して光輝するものである。
【０００８】
また、本発明は、前記意匠部材３６は、根元側から先端側にかけて輝度が徐々に変化して光輝するものである。
【０００９】
また、本発明は、前記意匠部材３６は、前記光源２４から発せられる発光色と異なる色味を有するものである。
【００１０】
また、本発明は、前記導光部材３５は、微細な凹凸からなる前記反射部３３を有するものである。
【００１１】
また、本発明は、前記導光部材３５は、溝形状からなる前記反射部３３を有するものである。
【００１２】
また、本発明は、前記導光部材３５と前記意匠部材３６との間に色変換層４１を配設したものである。
【００１３】
また、本発明は、前記導光部材３５と前記意匠部材３６との間に光拡散部材３９を配設したものである。
【００１４】
また、本発明は、前記導光部材３５と前記意匠部材３６との間に指向特性を高める光学シート４０を配設したものである。
【発明の効果】
【００１５】
指針に指示される目盛部を導光部材及び意匠部材にて構成したことにより、商品性，デザイン性に優れた計器装置を提供することが可能になる。
【図面の簡単な説明】
【００１６】
【図１】本発明の実施形態を示す計器装置の正面図。
【図２】同上実施形態を示す速度計の正面図。
【図３】同上実施形態を示す目盛部の拡大断面図。
【図４】従来例を示す計器装置の断面図。
【発明を実施するための形態】
【００１７】
以下、添付の図面に基づいて、本発明の一実施形態を説明する。１５はハウジングであり、このハウジング１５には４個の指針式計器、即ち、燃料計１６，速度計１７，回転計１８，水温計１９が収納されている。速度計１７及び回転計１８は、燃料計１６及び水温計１９よりも大きくなっており、燃料計１６及び水温計１９の間に配置されている。
【００１８】
速度計１７及び回転計１８は、文字盤２２，目盛部２３及び指針２５を有している。速度計１７及び回転計１８の指針２５は、図示しないステッピングモータにより回動され、目盛部２３を指示する。燃料計１６及び水温計１９は、文字盤２６及び指針２７を有している。燃料計１６及び水温計１９の指針２７は、図示しないステッピングモータにより回動され、文字盤２６に印刷形成された指標部２８を指示する。
【００１９】
次に、図３に基づいて、速度計１７及び回転計１８の目盛部２３について更に詳述する。目盛部２３は、導光部材３５，意匠部材３６，キャップ３７，ケース３８，拡散シート３９（光拡散部材），プリズムシート４０（光学シート），着色フィルム４１（色変換層）を備えている。
【００２０】
導光部材３５は、アクリルやポリカーボネート等の透光性樹脂からなり、光源２４から発せられる光を受光する受光部３１と、この受光部３１からの光を長手方向に反射させる傾斜反射面３２と、この傾斜反射面３２からの光を上方へ反射させる微細な凹凸からなる反射部３３とを有している。導光部材３５は、光源２４からの光を導いて表面から出光させる。微細な凹凸からなる反射部３３は、傾斜反射面３２からの光を上方へ反射させる。反射部３３は、根元側から先端側にかけて分布密度を高くすることにより、導光部材３５から出射する照明光を徐々に変化させる。
【００２１】
意匠部材３６は、光源２４から発せられる発光色と異なる色味を有する透光性樹脂からなり、導光部材３５上に配設される。意匠部材３６は、反射部３３を介して導光部材３５の表面から発せられる光を受けて光輝する。キャップ３７は、不透光性樹脂からなり、意匠部材３６の発光に使われなかった漏れ光を遮光する。ケース３８は、白色樹脂からなり、導光部材３５，拡散シート３９，プリズムシート４０，着色フィルム４１，意匠部材３６を積層状態に配設し、正面視の状態で、意匠部材３６が視認可能な開口部を有する枠体となっており、意匠部材３６の発光品位を低下させることなく積層状態の各部材を固定する。
【００２２】
拡散シート３９は、薄板状の透光性樹脂からなり、導光部材３５の上面に配設され、導光部材３５から出射される光を拡散させる。プリズムシート４０は、薄板状の透光性樹脂からなり、プリズム効果を有する複数の平行な溝を備えており，拡散シート３９の上面に配設される。着色フィルム４１は、着色された透光性樹脂からなり、プリズムシート４０の上面に配設され、プリズムシート４０から透過した光の色を変換し、意匠部材３６の色味を根元側から先端側にかけて徐々に変化させる。
【００２３】
本実施形態によれば、導光部材３５の表面から発せられる光にて意匠部材３６を光輝させることができ、商品性，デザイン性に優れた計器装置を提供することができる。なお、本実施形態は、導光部材３５の反射部３３を微細な凹凸にて形成したものであるが、例えば、溝形状からなるものであっても良い。
【符号の説明】
【００２４】
２２  文字盤
２３  目盛部
２４  光源
２５  指針
３１  受光部
３３  反射部
３５  導光部材
３６  意匠部材
３９  拡散シート（光拡散部材）
４０  プリズムシート（光学シート）
４１  着色フィルム（色変換層）
【図１】
2010256072.tif 000003
【図２】
2010256072.tif 000004
【図３】
2010256072.tif 000005
【図４】
2010256072.tif 000006